(57)【要約】      （修正有）【課題】ディスクのクランピング領域の内径の大きさ及びターンテーブルの回転速度に関らず、ディスクを弾性保持してディスクの中心をターンテーブルの中心と一致させる。【解決手段】ターンテーブル１５０は、内周面に回転軸が固定され、外周面にディスクが挿入される結合部１５１と、結合部の外周面から外側へ延長形成され、ディスクが搭載されるテーブル部１５４と、ディスクのクランピング領域に接触してディスクを弾性支持する第１クロー１５７ａと第２クロー１５８ｂが含まれ、回転軸の中心からディスクのクランピング領域に接触する第１クローの外面までの距離を、回転軸の中心からディスクのクランピング領域に接触する第２クローの外面までの距離より長くする。【選択図】図３
2008305460.tif 000002
【特許請求の範囲】
【請求項１】
内周面に回転軸が固定され、外周面にディスクが挿入される結合部と、
前記結合部の外周面から外側へ延長形成され、前記ディスクが搭載されるテーブル部と、
前記ディスクのクランピング領域に接触して前記ディスクを弾性支持する第１クローと第２クローが含まれ、
前記回転軸の中心から前記ディスクのクランピング領域に接触する前記第１クローの外面までの距離は、前記回転軸の中心から前記ディスクのクランピング領域に接触する前記第２クローの外面までの距離より長いことを特徴とするターンテーブル。
【請求項２】
前記第１クローの厚みは、前記第２クローの厚みより薄いことを特徴とする請求項１記載のターンテーブル。
【請求項３】
前記第１クローの幅は、前記第２クローの幅より狭いことを特徴とする請求項１記載のターンテーブル。
【請求項４】
前記第１クローの長さは、前記第２クローの長さより短いことを特徴とする請求項１記載のターンテーブル。
【請求項５】
前記第１クロー及び前記第２クローは、前記結合部に各々等間隔で形成されたことを特徴とする請求項１記載のターンテーブル。
【請求項６】
前記第１クロー及び前記第２クローは、各々３つ形成されたことを特徴とする請求項１記載のターンテーブル。
【請求項７】
前記回転軸の中心から前記ディスクのクランピング領域に接触する前記第１クローの外面までの距離は、７．５７５ｍｍ〜７．６ｍｍであることを特徴とする請求項１記載のターンテーブル。
【請求項８】
前記回転軸の中心から前記ディスクのクランピング領域に接触する前記第２クローの外面までの距離は、７．５ｍｍ〜７．５２５ｍｍであることを特徴とする請求項１記載のターンテーブル。
【請求項９】
前記第１クロー及び第２クローは、前記結合部と一体形成されたことを特徴とする請求項１記載のターンテーブル。
【発明の詳細な説明】
【技術分野】
【０００１】
本発明は、ターンテーブルに関するものである。
【背景技術】
【０００２】
記録媒体ドライブは、記録媒体にデータを記録したり、上記記録媒体に記録されたデータを再生するための装置である。
【０００３】
記録媒体ドライブには記録媒体が安着するターンテーブルが備えられ、ターンテーブルを回転させるスピンドルモータが配置される。
【発明の開示】
【発明が解決しようとする課題】
【０００４】
本発明は、ターンテーブルを提供するためのものである。
【課題を解決するための手段】
【０００５】
本発明によるターンテーブルは、内周面に回転軸が固定され、外周面にディスクが挿入される結合部と、結合部の外周面から外側へ延長形成され、ディスクが搭載されるテーブル部と、ディスクのクランピング領域に接触してディスクを弾性支持する第１クローと第２クローが含まれ、回転軸の中心からディスクのクランピング領域に接触する第１クローの外面までの距離は、回転軸の中心からディスクのクランピング領域に接触する第２クローの外面までの距離より長いことを特徴とする。
【発明の効果】
【０００６】
本発明によるターンテーブルは、ディスクのクランピング領域の内径の大きさ及びターンテーブルの回転速度に関わらず、ディスクを弾性支持してディスクの中心をターンテーブルの中心と一致させることができる。
【０００７】
また、ディスクの内径の大きさ及びターンテーブルが高速で回転することによってたくさん変形される第１クローは、比較的柔軟な弾性力を有するので、耐久性が向上する。
【発明を実施するための最良の形態】
【０００８】
以下、添付図面を参照しつつ本発明によるターンテーブルを詳細に説明する。
【０００９】
図１は、本発明の実施形態によるターンテーブルが採択された記録媒体ドライブの断面図である。
【００１０】
図１に示すように、記録媒体ドライブは上面が開放された円筒形で設けられて、ベース２００に起立設置されたベアリングハウジング１１０を有し、ベアリングハウジング１１０の内部にはベアリング１１５が設置される。
【００１１】
ベアリング１１５には回転軸１２０の下部側が挿入されて支持され、回転軸１２０の上部側はベアリングハウジング１１０の上側に露出される。
【００１２】
ベアリングハウジング１１０の外周面には固定子１３０が固定され、ベアリングハウジング１１０の上側に露出された回転軸１２０には回転子１４０が固定される。
【００１３】
固定子１３０は、ベアリングハウジング１１０の外周面に固定されたコア１３１とコア１３１に巻線されたコイル１３５を有する。
【００１４】
回転子１４０は、下面が開放された円筒形で設けられて回転軸１２０に固定され、固定子１３０を覆いかぶせるロータヨーク１４１、及びロータヨーク１４１の内周面に付着されてコア１３１と対向するマグネット１４５を有する。
【００１５】
外部の電源がコイル１３５に供給されると、コイル１３５で発生される電場とマグネット１４５で発生される磁場の作用によって回転子１４０が回転しながら回転軸１２０を回転させる。
【００１６】
回転子１４０の上側の回転軸１２０にはターンテーブル１５０が挿入されて固定されるが、ターンテーブル１５０にはディスク５０が搭載されて弾性支持される。
【００１７】
本発明の実施形態によるターンテーブル１５０は、多様の大きさの内径を有するディスク５０をターンテーブル１５０の損傷なしで適切に弾性支持できるように設けられる。
【００１８】
ターンテーブル１５０が高速で回転することによって、ディスク５０自体が有した偏心によってディスク５０の中心がターンテーブル１５０の中心から設定値以上に外れることを防止できるように設けられる。
【００１９】
図２は本発明の実施形態によるターンテーブルの斜視図であり、図３は図２のＩ−Ｉ線断面図である。
【００２０】
図示したように、ターンテーブル１５０は、結合部１５１、テーブル部１５４、及び複数のクロー（Claw、爪）１５６を含む。
【００２１】
結合部１５１は、管形態で設けられて、内周面には回転軸１２０が押込まれて固定される。結合部１５１の外周面は下側に行くほど回転軸１２０の中心から遠ざかる形態で傾斜するように形成されるが、これはディスク５０が結合部１５１の外周面に沿って安定に下降できるようにするためである。
【００２２】
結合部１５１の内周面と外周面との間には、必要によってリング形状の凹部１５１ａが形成されることができる。凹部１５１ａには金属片（図示していない）、またはクランピング用マグネット（図示していない）が固定される。
【００２３】
テーブル部１５４は、結合部１５１の外周面から外側へ延長形成されてリング形状をなして、ディスク５０が搭載される。
【００２４】
クロー１５６は、複数の第１クロー１５７ａ〜１５７ｃと複数の第２クロー１５８ａ〜１５８ｃを含み、第１及び第２クロー１５７ａ〜１５７ｃ、１５８ａ〜１５８ｃは、結合部１５１の外面に各々形成される。
【００２５】
より詳しくは、結合部１５１の外面とテーブル部１５４の内側部位には相互連通された空間部１５３が複数個形成され、各空間部１５３に第１クロー１５７ａ〜１５７ｃ及び第２クロー１５８ａ〜１５８ｃが各々形成される。
【００２６】
この際、第１及び第２クロー１５７ａ〜１５７ｃ、１５８ａ〜１５８ｃの上端部側は、結合部１５１に一体形成され、下段部側はテーブル部１５４側に形成された空間部１５３に位置してカンチレバー（cantilever）形態をなす。
【００２７】
そして、第１及び第２クロー１５７ａ〜１５７ｃ、１５８ａ〜１５８ｃも結合部１５１の外周面と略同一な形態で傾斜するように形成され、下段部側の外面がディスク５０の内周面、即ちクランピング領域と接触する。
【００２８】
本実施形態によるターンテーブルでは、クロー１５６が結合部１５１に一体形成されたものが開示されているが、クロー１５６はロータヨーク１４１から延びて設置されることもできる。また、クロー１５６はスプリングと共に備えられて弾性力を有するように設置されることもできる。
【００２９】
但し、図１乃至３では、クロー１５６が有する特徴を説明するために、結合部１５１と一体形成された例を図示した。
【００３０】
本実施形態によるターンテーブルにおいて、第１クロー１５７ａ〜１５７ｃと第２クロー１５８ａ〜１５８ｃは、互いに異なる特性を有するように形成される。
【００３１】
より詳しくは、第１及び第２クロー１５７ａ〜１５７ｃ、１５８ａ〜１５８ｃは、各々結合部１５１に等間隔で形成される。この際、相互隣接する第１クロー１５７ａと１５７ｂ、１５７ｂと１５７ｃ、１５７ｃと１５７ａの間に第２クロー１５８ａ、１５８ｂ、１５８ｃが各々位置する。
【００３２】
そして、結合部１５１の中心（Ｏ）からディスク５０のクランピング領域と接触する第１クロー１５７ａ〜１５７ｃの外面までの距離（Ｌ１）は、結合部１５１の中心（Ｏ）からディスク５０のクランピング領域と接触する第２クロー１５８ａ〜１５８ｃの外面までの距離（Ｌ２）より長く形成される。
【００３３】
より詳しくは、ディスク５０のクランピング領域の内径が１５．００ｍｍ〜１５．１５ｍｍとする時、結合部１５１の中心（Ｏ）からディスク５０のクランピング領域と接触する第１クロー１５７ａ〜１５７ｃの外面までの距離（Ｌ１）は、７．５７５ｍｍ〜７．６００ｍｍで設けられ、結合部１５１の中心（Ｏ）からディスク５０のクランピング領域と接触する第２クロー１５８ａ〜１５８ｃの外面までの距離（Ｌ２）は、７．５００ｍｍ〜７．５２５ｍｍで設けられる。
【００３４】
そして、第１クロー１５７ａ〜１５７ｃの内面と外面との間の厚み（ｔ１）は、第２クロー１５８ａ〜１５８ｃの内面と外面との間の厚み（ｔ２）より薄く設けられる。即ち、第１クロー１５７ａ〜１５７ｃの剛性より第２クロー１５８ａ〜１５８ｃの剛性が大きく設けられる。
【００３５】
本発明によるターンテーブル１５０にディスク５０が弾性支持される作用を説明する。
【００３６】
まず、ターンテーブル１５０に搭載されて支持されるディスク５０のクランピング領域の内径が１５．００ｍｍ、即ちディスク５０のクランピング領域の内径の１／２が７．５ｍｍと仮定する。
【００３７】
この場合には、結合部１５１の中心（Ｏ）から第１クロー１５７ａ〜１５７ｃまでの距離（Ｌ１）及び結合部１５１の中心（Ｏ）から第２クロー１５８ａ〜１５８ｃの距離（Ｌ２）がディスク５０のクランピング領域の内径の１／２より長いので、第１クロー１５７ａ〜１５７ｃ及び第２クロー１５８ａ〜１５８ｃの外面が共にディスク５０のクランピング領域と接触してディスク５０を弾性支持する。
【００３８】
この際、結合部１５１の中心（Ｏ）から第１クロー１５７ａ〜１５７ｃまでの距離（Ｌ１）が長いので、ディスク５０のクランピング領域に第１クロー１５７ａ〜１５７ｃが接触された時、第１クロー１５７ａ〜１５７ｃが相対的にたくさん変形される。しかしながら、第１クロー１５７ａ〜１５７ｃは、薄く設けられて比較的柔軟な弾性力を有しているので、塑性変形による弾性力の低下は生じない。
【００３９】
そして、結合部１５１の中心（Ｏ）から第２クロー１５８ａ〜１５８ｃまでの距離（Ｌ２）は短いので、ディスク５０のクランピング領域に第２クロー１５８ａ〜１５８ｃが接触された時、第２クロー１５８ａ〜１５８ｃは、相対的に少し変形される。しかしながら、第１クロー１５７ａ〜１５７ｃは、厚く設けられて剛性が大きいので、ディスク５０を堅く支持する。
【００４０】
要約すると、内径の小さいディスク５０が挿入された場合にはターンテーブル１５０が停止した場合及び低速で回転する場合、第１クロー及び第２クロー１５７ａ〜１５７ｃ、１５８ａ〜１５８ｃはディスク５０を弾性支持してディスク５０の中心をターンテーブル１５０の中心と一致させる。
【００４１】
そして、ターンテーブル１５０が高速で回転するによって、ディスク５０自体の偏心によってディスク５０の中心がターンテーブル１５０の中心から外れようとする場合にも、第１クロー及び第２クロー１５７ａ〜１５７ｃ、１５８ａ〜１５８ｃはディスク５０を弾性支持してディスク５０の中心をターンテーブル１５０の中心と一致させる。
【００４２】
次に、ターンテーブル１５０に搭載されて支持されるディスク５０のクランピング領域の内径が１５．１５ｍｍ、即ちディスク５０のクランピング領域の内径の１／２が７．５７５ｍｍと仮定する。
【００４３】
この場合には、結合部１５１の中心（Ｏ）から第１クロー１５７ａ〜１５７ｃまでの距離（Ｌ１）は、ディスク５０のクランピング領域の内径の１／２より長く、結合部１５１の中心（Ｏ）から第２クロー１５８ａ〜１５８ｃの距離（Ｌ２）は、ディスク５０のクランピング領域の内径の１／２より短い。
【００４４】
したがって、ターンテーブル１５０が停止した場合及び低速で回転する場合には、第１クロー１５７ａ〜１５７ｃによりディスク５０が弾性支持される。即ち、ターンテーブル１５０が停止した場合及び低速で回転する場合には、第１クロー１５７ａ〜１５７ｃのみによりディスク５０が弾性支持されるが、第１クロー１５７ａ〜１５７ｃのみによりディスク５０が支持されても、ディスク５０の中心はターンテーブル１５０の中心と一致する。
【００４５】
そして、ターンテーブル１５０が高速で回転する場合には、ディスク５０自体の偏心によってディスク５０が第１クロー１５７ａ〜１５７ｃの弾性力に勝ち、ターンテーブル１５０の中心から外れようとする。
【００４６】
しかしながら、ディスク５０の中心が設定値以上にターンテーブル１５０の中心から外れようとすれば、剛性の大きい第２クロー１５８ａ〜１５８ｃによりディスク５０が弾性支持されて、ディスク５０の中心がターンテーブル１５０の中心から外れることができない。この際、第１クロー１５７ａ〜１５７ｃは、相対的にたくさん変形されるが、第１クロー１５７ａ〜１５７ｃは柔軟であるので損傷しない。
【００４７】
ターンテーブル１５０は、一般的に１０，５００ｒｐｍ以上の高速で回転されるので、高速でのディスク支持性能が優れなければならないし、高速で長時間使用できなければならない。
【００４８】
これによって、実施形態による記録媒体ドライブは、ディスク５０の内径の大きさ及びターンテーブル１５０の回転速度に関わらず、ディスク５０を設定値以内で弾性支持することができる。そして、相対的にたくさん変形される第１クロー１５７が比較的柔軟な弾性力を有するので、耐久性が向上する。
【００４９】
図４は、他の実施形態によるターンテーブル１５０を示す図である。
【００５０】
他の実施形態によるターンテーブル１５０は、第１クロー１５７ａ〜１５７ｃと第２クロー１５８ａ〜１５８ｃは、厚みの代わりに幅を相異するように形成して剛性を調節することができる。
【００５１】
例えば、第１クロー１５７ａ〜１５７ｃの幅（ｗ１）は第２クロー１５８ａ〜１５８ｃの幅（ｗ２）より狭く設けられる。したがって、第１クロー１５７ａ〜１５７ｃの剛性より第２クロー１５８ａ〜１５８ｃの剛性が大きく設けられる。
【００５２】
図５は、更に他の実施形態によるターンテーブル１５０を示す図である。
【００５３】
更に他の実施形態によるターンテーブル１５０は、第１クロー１５７ａ〜１５７ｃと第２クロー１５８ａ〜１５８ｃは、長さを相異するように形成して剛性を調節することができる。
【００５４】
例えば、第１クロー１５７ａ〜１５７ｃの長さは、第２クロー１５８ａ〜１５８ｃの長さより短く設けられる。したがって、第１クロー１５７ａ〜１５７ｃの剛性より第２クロー１５８ａ〜１５８ｃの剛性が大きく設けられる。
【００５５】
以上、説明したように、本発明によるターンテーブルは、内径の小さいディスクが挿入された場合には、ターンテーブルの回転速度などに関わらず、ターンテーブルの中心からディスクと接触する外面までの距離が第１クロー１５７ａ〜１５７ｃ及びターンテーブルの中心からディスクと接触する外面までの距離の短い第２クロー１５８ａ〜１５８ｃによりディスクが弾性支持される。
【００５６】
そして、内径の大きいディスクが挿入された場合には、ターンテーブルが停止及び低速で回転する場合には、第１クロー１５７ａ〜１５７ｃによりディスクが弾性支持され、ターンテーブルが高速で回転する場合には第１及び第２クロー１５７ａ〜１５７ｃ、１５８ａ〜１５８ｃによりディスクが弾性支持される。
【００５７】
第１クロー１５７ａ〜１５７ｃは、第２クロー１５８ａ〜１５８ｃより小さな剛性を有することができる。
【００５８】
第１クロー１５７ａ〜１５７ｃは、厚みが第２クロー１５８ａ〜１５８ｃより薄いことがある。
【００５９】
また、第１クロー１５７ａ〜１５７ｃは、幅が第２クロー１５８ａ〜１５８ｃより狭いことがある。
【００６０】
また、第１クロー１５７ａ〜１５７ｃは、長さが第２クロー１５８ａ〜１５８ｃより短いことがある。
【００６１】
一方、本実施形態では、第１クロー１５７ａ〜１５７ｃと第２クロー１５８ａ〜１５８ｃの剛性を異なるようにすることが開示されているが、第１クロー１５７ａ〜１５７ｃと第２クロー１５８ａ〜１５８ｃの剛性を同一にすることも可能である。
【００６２】
また、第１クロー１５７ａ〜１５７ｃは、第２クロー１５８ａ〜１５８ｃより大きい剛性を有することができる。
【図面の簡単な説明】
【００６３】
【図１】本発明の実施形態によるターンテーブルが採択された記録媒体ドライブの断面図である。
【図２】本発明の実施形態によるターンテーブルの斜視図である。
【図３】図２のＩ−Ｉ線断面図である。
【図４】本発明の他の実施形態によるターンテーブルを示す図である。
【図５】本発明の更に他の実施形態によるターンテーブルを示す図である。
【符号の説明】
【００６４】
５０    ディスク
１１０    ベアリングハウジング
１１５    ベアリング
１２０    回転軸
１３０    固定子
１３１    コア
１３５    コイル
１４０    回転子
１４１    ロータヨーク
１４５    マグネット
１５０    ターンテーブル
１５１    結合部
１５４    テーブル部
１５６    クロー
２００    ベース  
【図１】
2008305460.tif 000003
【図２】
2008305460.tif 000004
【図３】
2008305460.tif 000005
【図４】
2008305460.tif 000006
【図５】
2008305460.tif 000007